(57)【特許請求の範囲】
【請求項１】
配線器具を取り付けるための配線器具取付部と管を保持する管保持部とを設けてなる配管取付枠に取着される保護カバーであって、前記配管取付枠の裏側開口部に位置して前記配管取付枠内外を隔絶する隔壁部と、前記配管取付枠に取着させるための取着部と、を備え、前記隔壁部の両長辺周縁に、配管取付枠用保護カバー同士を連結させる連結部を取着部が形成された側に突出して設けてなる配管取付枠用保護カバー。
【請求項２】
前記取着部を、前記配管取付枠の配線器具取付部に係止可能なよう設けてなる請求項１記載の配管取付枠用保護カバー。
【請求項３】
前記取着部を、前記隔壁部に対して撓むように設けてなる請求項１又は２記載の配管取付枠用保護カバー。
【発明の詳細な説明】
【０００１】
【発明の属する技術分野】
本発明は、配線器具を取り付けるための配線器具取付プレートと電線管とを取り付けることができる配管取付枠に取着される配管取付枠用保護カバーに関する。
【０００２】
【従来の技術】
従来から住宅用スイッチボックスなるものがある。住宅用スイッチボックスは、壁面に埋め込み取り付けされ、壁内に埋設される電線管が接続されるとともに、壁表面側からは、配線器具取付プレートを介して、壁スイッチや壁コンセントなどを取り付けることができるようにされている。しかしながら、住宅用スイッチボックスにあっては、電線管の接続には接続部品を必要とするとともに、ボックスであるがために、結線が壁表面側からしかできないという問題点や、住宅用スイッチボックスは深さがあるために薄い壁内には設置できないという問題点があった。本願出願人は、これらの問題点を解決するべく、図１１乃至図１６に示す配管取付枠を開発した。図１１乃至図１６に示す配管取付枠について説明する。
【０００３】
図１１は配管取付枠を前方から見た斜視図、図１２は配管取付枠を後方から見た斜視図である。図１３は配管取付枠を示す図であり、（ａ）は平面図、（ｂ）は正面図、（ｃ）は側面図である。図１４は配管取付枠の背面図、図１５は配管取付枠を造営材に取り付けた状態を示す正面図、図１６は配管取付枠を石膏ボート等に取り付けるための方法を示す説明図である。
【０００４】
合成樹脂製の配管取付枠１は、配管取付枠１を壁裏の木製柱や桟などの造営材Ａに取り付けるための、枠体部３の一方の長辺に形成された造営材取付部２と、正面視略矩形状の筒状の枠体部３と、配線器具取付部４と、管保持部５と、ケーブルを仮保持するケーブル保持部６と、を備えている。
【０００５】
造営材取付部２は、枠体部３の後端から前方へ切り込んで形成した、側面視略Ｕ字形の三箇所の切欠２０を備えている。
【０００６】
配線器具取付部４は、枠体部３の両短辺内側中央の奥行き方向に長い、突出部として形成され、中央には配線器具取付プレートを取り付けるための取付ねじ孔４０が設けられており、例えば、取付ねじ孔４０はインサートされたナットによって形成されている。
【０００７】
管保持部５は、枠体部３の両短辺に一箇所づつ、配線器具取付部４の側面に接するようにして枠体部３の後端から前方へ切り込んだ、大略半筒状の切欠部として形成されており、その内面に、可撓電線管Ｃの谷部に嵌合して管を挟持する挟持突部５１が複数設けられている。
【０００８】
ケーブルを仮保持するケーブル保持部６は、枠体部３の他方の長辺後端の二箇所と、管保持部５との間にそれぞれ形成された梁状の部分６１と、円弧状に形成された枠体部３の角部の枠とで形成されており、施工時、梁状の部分６１と、円弧状に形成された枠体部３の角部の枠とで形成される開口内にケーブルを挿通させ仮保持させておくことにより、室内側からの結線作業を容易に行うことができる。
【０００９】
次に、上述のように構成される配管取付枠１の取り付け方法を図１５に基づいて説明する。図で、Ｓは配線器具である壁スイッチ、Ｓ0 はフラッシュプレートである。図１５は、配管取付枠１を造営材Ａに取り付けた状態を示す図で、皿木ねじ（図示せず）の首下部を、造営材取付部２の切欠２０に挿通させた状態で皿木ねじを造営材Ａにねじ込んで配管取付枠１を造営材Ａに固定する。
【００１０】
その後、情報ケーブルなどを通す可撓電線管Ｃを配管し、可撓電線管Ｃの波形管壁の谷部に、管保持部５の挟持突部５１が嵌まり込むようにして、管保持部５に可撓電線管Ｃを嵌合させ可撓電線管Ｃを固定する。
【００１１】
また、商用電源を配線するためのＶＶＦケーブルＤを、梁状の部分６１と、円弧状に形成された枠体部３の角部の枠とで形成される開口内に挿通させ、ケーブル保持部６に仮保持させておく。これにより、ＶＶＦケーブルＤは、配管取付枠１の取付位置からずれてしまうことがなく、室内側にＶＶＦケーブルＤを引き出して壁スイッチや壁コンセントに接続する際、壁裏のＶＶＦケーブルＤを手探りで手繰り寄せるということがなくなるので作業性の向上が図れる。このように、壁張り作業が終わってから配線器具を配管取付枠１に取り付ける際に、電源線としてのＶＶＦケーブルＤを簡単に室内側に取り出すことができるとともに、配管取付枠１に取り付けられた可撓電線管Ｃから情報ケーブルを簡単に引き出すことができるので、配線器具である壁スイッチ、壁コンセント、情報コンセントなどの取付工事を効率良く行うことができる。
【００１２】
次に、図１６に基づいて、配管取付枠１を石膏ボード等に取り付ける場合について説明する。図１６は、室内側に配置した配線器具取付プレート８と、壁裏に配置した配管取付枠１とで石膏ボード７を挟持するように施工する場合の取り付け方法を示したものである。つまり、室内側から、ねじ９を、配線器具取付プレート８のねじ挿通孔８１、及び、石膏ボード７に形成された取付穴７１を介して、配管取付枠１の取付ねじ孔４０に螺合させ、ねじ９を締め付けて固定する。
【００１３】
【発明が解決しようとする課題】
配管取付枠１を取り付ける方法として、図１５に示した造営材Ａに固定する方法、図１６に示した石膏ボードの背面側に配置して取り付ける方法について説明したが、その他に、ガラスウールなどの断熱材を間に挟んだサンドイッチ構造の断熱用壁材に配管取付枠１を取り付ける方法がある。その場合は、断熱用壁材に貫通穴を設けるのではなく、断熱用壁材の室内側の表面に凹部を形成しその凹部内に室内側から、ケーブルを接続した配管取付枠１を埋め込んで取り付ける。この場合、凹部内にガラスウールなどの断熱材が露出することになり、断熱用壁材の室内側の表面から凹部内に引き込まれたケーブルの被覆が、ガラスウールなどの断熱材に接触して、それらの材料の組み合わせによっては、ケーブルの被覆が劣化する場合があるという問題点があった。
【００１４】
本発明は上記の問題点を解決するためになされたもので、その目的とするところは、配管取付枠に容易に取り付け可能で、配線器具に接続したケーブルと断熱材等の接触によるケーブルの劣化を防止することができる配管取付枠用保護カバーを提供することにある。
【００１５】
【課題を解決するための手段】
本発明の配管取付枠用保護カバーは、配線器具を取り付けるための配線器具取付部と管を保持する管保持部とを設けてなる配管取付枠に取着されるものであって、前記配管取付枠の裏側開口部に位置して前記配管取付枠内外を隔絶する隔壁部と、前記配管取付枠に取着させるための取着部と、を備え、前記隔壁部の両長辺周縁に、配管取付枠用保護カバー同士を連結させる連結部を取着部が形成された側に突出して設けてなる構成としている。
【００１６】
また、取着部を、前記配管取付枠の配線器具取付部に係止可能なよう設けてなる構成としている。
【００１７】
また、取着部を、前記隔壁部に対して撓むように設けてなる構成としている。
【００２５】
【発明の実施の形態】
以下、本発明に係る配管取付枠用保護カバーの、第１の実施の形態を図１乃至図６に基づいて、第２の実施の形態を図７および図８に基づいて、第３の実施の形態を図９および図１０に基づいて、それぞれ詳細に説明する。
【００２６】
［第１の実施の形態］
図１は配管取付枠用保護カバーを前方から見た斜視図、図２は配管取付枠用保護カバーを後方から見た斜視図である。図３は配管取付枠用保護カバーを示す図であり、（ａ）は平面図、（ｂ）は正面図、（ｃ）は側面図である。図４は配管取付枠用保護カバーの背面図であり、図５は配管取付枠用保護カバーを配管取付枠に取り付ける方法を示す説明図、図６は配管取付枠用保護カバーを取り付けた配管取付枠を造営材に固定した状態を示す正面図である。
【００２７】
配管取付枠用保護カバー７は、合成樹脂製の成形品であり、略矩形平板状の隔壁部７０と、その隔壁部７０の両短辺の略中央に形成された取着部７１とを備えている。図に示す２つの取着部７１は、隔壁部７０の両短辺の略中央に形成された略有底円筒の側面を、筒の底から上方開口まで切り欠いた形状に構成されており、隔壁部７０の両短辺の外側に開口する開口部を備えるように構成されている。また、取着部７１の底部には、ねじを挿通させる挿通孔７２が設けられている。また、取着部７１の両側の、隔壁部７０の部分には、隔壁部７０の長手方向に延設されたスリット（切り込み７３）が形成されており、取着部７１が隔壁部７０に対して撓みやすくなるように構成されている。さらに、隔壁部７０の長辺の周縁部には、配管取付枠用保護カバー７同士を連結するための連結部７４，７５がそれぞれ形成されている。
【００２８】
図に示す例では、連結部７４は、隔壁部７０の一方の長辺周縁に、取着部７１が形成された側に突出する側壁として形成されている。その連結部７４の両端部付近には平面視略クランク状の部分が設けられており、連結部７４の両端部と、隔壁部７０との間には、連結部７４の板厚程度のすきまが形成されている。
【００２９】
一方、連結部７５は、連結部７４と同じ方向に突出する、側壁７５ａ及び側壁７５ｂとで構成されている。側壁７５ｂは、側壁７５ａの長手方向の両側に、側壁７５ａと所定間隔を隔てて配置されている。また、側壁７５ｂは、側壁７５ａに比べて、側壁の板厚程度、連結部７４から遠い位置に形成されている。
【００３０】
次に、図５に基づいて配管取付枠用保護カバー７を配管取付枠１に取り付ける方法について説明する。図に示すように、配管取付枠１の枠内に突出する配線器具取付部４の突出部分が、配管取付枠用保護カバー７の内部に納まるように
、配管取付枠用保護カバー７を配管取付枠１の枠内に挿入する。これにより、取着部７１が配線器具取付部４に係止され、取付ねじ孔４０が配管取付枠用保護カバー７の挿通孔７２を介して前面側に露出するようになる。この状態で、配管取付枠用保護カバー７の隔壁部７０が、配管取付枠１の裏側開口部（背面側開口部）に位置することになるので、配管取付枠１の前面側に取り付けられる配線器具に接続されるケーブルと、断熱用壁材の凹部内に露出する断熱材との接触を防止することができる。また、側壁状の連結部７４，７５も、側方からの断熱材侵入を防止する効果を備えている。
【００３１】
また、図１３または図１４に示した取付方法を用いる場合、固定した配管取付枠１の背面側（壁裏側）から、配管取付枠用保護カバー７を配管取付枠１に取り付けることもできる。まず、片持ち梁状の配管取付枠用保護カバー７の取着部７１に力を加えて撓ませ、取着部７１を配管取付枠用保護カバー７の内側に倒した状態で、取着部７１を背面側から配管取付枠１の枠内開口に挿入し、挿通孔７２が形成された取着部７１の底部を前面側に出し、取着部７１を撓ませていた力を除去する。これにより、取着部７１が弾性復元力によって元の形状に戻るので、その際、配線器具取付部４が配管取付枠用保護カバー７の内部に納まるようにすれば、取着部７１を配線器具取付部４に係止することができる。このように、取着部７１が隔壁部７０に対して撓みやすくなるように構成されているので、配管取付枠用保護カバー７を、配管取付枠１の背面側から配管取付枠１に取り付けることができる。
【００３２】
図６は、配管取付枠用保護カバー７を取り付けた配管取付枠１を造営材Ａに固定した状態を示す図である。配管取付枠用保護カバー７は、ガラスウール等の断熱材を挟んだ断熱用壁材に取り付ける場合の不具合（ケーブルと断熱材との接触によるケーブル劣化）を防止するものであると説明したが、図６に示すように造営材Ａに固定した配管取付枠１に取り付けて結線部分を保護するようにしてもよい。
【００３３】
図６のように施工する場合、まず、皿木ねじ（図示せず）によって配管取付枠１を造営材Ａに固定し、情報ケーブルなどを通す可撓電線管Ｃを配管し、管保持部５に可撓電線管Ｃを嵌合させる。また、商用電源を配線するためのＶＶＦケーブルＤを、梁状の部分６１と、円弧状に形成された枠体部３の角部の枠とで形成される開口内に挿通させ、ＶＶＦケーブルＤをケーブル保持部６に仮保持させておき、室内側にＶＶＦケーブルＤを引き出して壁スイッチや壁コンセントに接続する。次に、配線器具を取り付けた配線器具取付プレートをねじで配管取付枠１に固定するが、そのねじは配管取付枠用保護カバー７の挿通孔７２を挿通するので、１度のねじ締め付け作業によって、配線器具取付プレートと配管取付枠用保護カバー７を固定することができる。
図６に示すように、ＶＶＦケーブルＤを、梁状の部分６１と、円弧状に形成された枠体部３の角部の枠とで形成される開口内に挿通させた状態では、ＶＶＦケーブルＤは、配管取付枠用保護カバー７の隔壁部７０の前方側に導入されることになる。同様に、可撓電線管Ｃに通された情報ケーブルも、配管取付枠用保護カバー７の隔壁部７０の前方側に導入されることになる。これにより、配管取付枠１内部の結線部分を保護することができる。
【００３４】
かかる構成によれば、配管取付枠に容易に取り付け可能で、配線器具に接続したケーブルと断熱材等の接触によるケーブルの劣化を防止することができるという効果を奏する。、また、配管取付枠に取着させるための取着部を備えているので、容易に配管取付枠に取り付けることができると共に、取着部が撓むように構成されているので、配管取付枠の表裏どちらからでも配管取付枠に取り付けることができ、作業性の向上が図れるという効果を奏する。また、１種類の配管取付枠用保護カバーによって多連用の配管取付枠に対応することができるという効果を奏する。
【００３５】
［第２の実施の形態］
図７及び図８に基づいて配管取付枠用保護カバー７を連結させて用いる実施の形態について説明する。図７は、２つの配管取付枠用保護カバー７を連結させた状態を示す図で、（ａ）は平面図、（ｂ）は正面図である。図８は、連結した配管取付枠用保護カバー７を取り付けた配管取付枠１を造営材Ａに固定した状態を示す図である。
図７に示すように、配管取付枠用保護カバー７を連結する場合、一方の配管取付枠用保護カバー７の連結部７４を、他方の配管取付枠用保護カバー７の連結部７５に嵌合させて連結させる。つまり、連結部７５の、側壁７５ｂと側壁７５ａとの間のすきまに、連結部７４のクランク状の部分が嵌まり込むように組み合わせて連結させる。連結した２つの配管取付枠用保護カバー７を、図８に示すように、２連用の配管取付枠１の枠内開口に嵌め込むことによって、２連用の配管取付枠１の裏側開口部に隔壁を形成することができ、１種類の配管取付枠用保護カバー７によって多連用の配管取付枠１に対応することができる。
［第３の実施の形態］
この配管取付枠用保護カバーは、隔壁部７０の周縁部に、セパレータ１０１を立設してなる。これにより、配管取付枠１の内方を、強電と弱電のスペースに分けることができ、使い勝手が向上する。また、セパレータ１０１を別途用意したり、配管取付枠１を加工したりする必要がなく、使用上、製造上の効率が向上する。
【００３６】
このセパレータ１０１と隔壁部７０の周縁部との間には、セパレータ１０１を切り離すための切り離し基準部１０２を設けてなる。切り離し基準部１０２は、隔壁部７０の周縁部とセパレータ１０１の間に段差１０２ａを設けてなる。この段差１０２ａは、外面側に設けられるので、より切断しやすくなっている。これにより、セパレータ１０１が不要であって枠内のスペースを十分に確保したいような場合、カッター等の切断工具を段差１０２ａにあてがい、段差１０２ａに沿わせて動かせば、容易に、安定した状態で切り離すことができる。また、切り離し基準部１０２は、隔壁部７０の周縁部とセパレータ１０１の間に、その境界線に沿う細長のスリット１０２ｂを部分的に設けてなる。これにより、スリット１０２ｂにカッターの刃を挿入し、スリット１０２ｂに沿わせて動かせば、セパレータ１０１を容易に、安定した状態で切り離すことができる。しかも、隔壁部７０の周縁部とセパレータ１０１とがスリット１０２ｂを除いて部分的につながった個所のみを切断すれば切り離すことができるので、切断の手間をより低減することができる。
【００３７】
また、セパレータ１０１は、角部近傍に傾斜部１０３を設けてなる。これにより、壁表側から壁開口部を通して配管取付枠１に後付けされる場合、壁開口部を通過させやすくなっている。
【００３８】
また、隔壁部７０は、取着部７１とセパレータ１０１とを残して切り取るための切り取り基準部１０４を設けてなる。本実施形態では、切り取り基準部１０４は、隔壁部７０の周縁部近傍に沿って溝状に形成された切り取り溝としている。これにより、セパレータ１０１の機能は必要であるが、隔壁部７０の機能は不要で邪魔になるような場合、切り取り溝にカッターなどの切断工具をあてがい、切り取り溝に沿って切断することにより、取着部７１とセパレータ１０１とを残して、隔壁部７０を容易に、安定した状態で切り取ることができる。
【００３９】
また、取着部７１は、配管取付枠１の配線器具取付部よりも枠内方に突出しないよう形成される。本実施形態では、大略半筒状の取着部７１において、挿通孔よりも枠内方に位置する部分を切り欠いて設けてなる。これにより、配線器具取付部間の距離が、取着部７１の板厚分だけ狭まるようなことがなく、配線器具取付部間のスペースを最大限に使って取付収容される配線器具を、支障なく良好に取り付けることができる。
【００４０】
なお、取着部は、隔壁部に壁裏の奥行方向の押圧力がかかった場合の脱落を防止し、配線器具取付部への取着強度を高めるために、配線器具取付部近傍に設けられた凹所に係止する係止突部を設けるようにしてもよい。
【００４１】
以上、本発明について詳述したが、その構成は、一般的な配線器具取付部材への取着部材としても適用可能である。例えば、底壁と側壁とから大略箱状をなす配線用ボックス等配線器具取付部材にセパレータを設ける際、従来は、ボックス側に別部材のセパレータを取り付けるための構造が別途必要であり、その取付構造上も、取付けに手間がかかっていたりした。すなわち、ボックス内面に細長溝を設け、平板状のセパレータを細長溝に係合させるのであるが、ボックスに細長溝を設ける加工に手間がかかり、また、セパレータの取付け作業において、暗がりの中で細長溝にセパレータを係合させるのが困難であったりした。これに対して、本発明の構成を、セパレータを設けるための取着部材として利用することにより、ボックスに手を加えることなく、装着性も改善されて容易にセパレータを設けることができる、という効果が得られる。
【００４２】
また、配管取付枠のような管保持部をもたない枠材においても、配線器具取付部を有していれば、本発明の構成のものを取着することができ、配管取付枠の場合と同様の効果を得ることができる。
【００４３】
【発明の効果】
本発明の配管取付枠用保護カバーは、上述のように構成されているので、配管取付枠に容易に取り付け可能で、配線器具に接続したケーブルと断熱材等の接触によるケーブルの劣化を防止することができるという効果を奏する。
【図面の簡単な説明】
【図１】本発明に係る第１の実施の形態の配管取付枠用保護カバーを前方から見た斜視図である。
【図２】上記配管取付枠用保護カバーを後方から見た斜視図である。
【図３】上記配管取付枠用保護カバーを示す図であり、（ａ）は平面図、（ｂ）は正面図、（ｃ）は側面図である。
【図４】上記配管取付枠用保護カバーの背面図である。
【図５】上記配管取付枠用保護カバーを配管取付枠に取り付ける方法を示す説明図である。
【図６】上記配管取付枠用保護カバーを配管取付枠に取り付けた状態を示す正面図である。
【図７】上記配管取付枠用保護カバーを連結させた状態を示す図で、（ａ）は平面図、（ｂ）は正面図である。
【図８】連結した配管取付枠用保護カバーを取り付けた配管取付枠を造営材に固定した状態を示す正面図である。
【図９】本発明に係る第３の実施の形態の配管取付枠用保護カバーを前方から見た斜視図である。
【図１０】上記配管取付枠用保護カバーを配管取付枠に取り付ける直前の状態を示す斜視図である。
【図１１】配管取付枠を前方から見た斜視図である。
【図１２】配管取付枠を後方から見た斜視図である。
【図１３】配管取付枠を示す図であり、図１３（ａ）は平面図、（ｂ）は正面図、（ｃ）は側面図である。
【図１４】配管取付枠の背面図である。
【図１５】配管取付枠を造営材に取り付けた状態を示す正面図である。
【図１６】配管取付枠を石膏ボート等に取り付けるための方法を示す説明図である。
【符号の説明】
１          配管取付枠
４          配線器具取付部
５          管保持部
７          配管取付枠用保護カバー
７０        隔壁部
７１        取着部
７４，７５  連結部
Ａ          造営材
Ｃ          可撓電線管（管）
Ｄ          ＶＶＦケーブル
Ｓ          配線器具
【図１】
0004147716.tif 000002
【図２】
0004147716.tif 000003
【図３】
0004147716.tif 000004
【図４】
0004147716.tif 000005
【図５】
0004147716.tif 000006
【図６】
0004147716.tif 000007
【図７】
0004147716.tif 000008
【図８】
0004147716.tif 000009
【図９】
0004147716.tif 000010
【図１０】
0004147716.tif 000011
【図１１】
0004147716.tif 000012
【図１２】
0004147716.tif 000013
【図１３】
0004147716.tif 000014
【図１４】
0004147716.tif 000015
【図１５】
0004147716.tif 000016
【図１６】
0004147716.tif 000017